(57)【要約】  自動式チャックは、使用者が選択できる少なくとも三つの操作モードを備えていて、従って、チャックを締め付け又はゆるめる際に異なる操作を実行できるようになっている。一例において、使用者の選択できる異なる操作モードは、ドリルのモータ回転方向スイッチを作動することにより使用できる。【特許請求の範囲】
【請求項１】
円筒状のボデーと、複数のジョー部材と、ナットと、インパクトリングと、モード選択機構とを具備している、回転可能なスピンドル用のチャックアセンブリであって：
前記円筒状ボデーが前方区画、カラー及び後方区画を有しており、前記前方区画は前方区画を貫通する中心穴を有していて、前記カラーは角度をもたせて配置された複数のガイドチャンネルを有しており、前記後方区画は前記スピンドルに取り付け可能になっていて；
前記複数のジョー部材は前記ガイドチャンネルの中にスライド可能に配置されていて、ジョー部材各々はその外側に形成されたねじ山付き表面を有しており；
前記ナットは前記ボデーの前記カラー周囲に配置されていて、前記複数のジョー部材の前記ねじ山付き表面と螺合的に係合するようになっており；
前記インパクトリングは前記複数のジョー部材の位置を調節するために、前記ナットと選択的に係合可能になっており；
前記モード選択機構は、前記インパクトリングを前記ナットに係合するべく操作可能であり、そして前記モード選択機構は前記インパクトリングが前記ナットに係合している少なくとも二つの選択可能な位置を有していて、前記二つの選択可能な位置の一方は前記チャックアセンブリをゆるめることに関連する操作を可能にしており、前記チャックアセンブリをゆるめることに関連する操作は前記チャックを締め付けている間は実行することができないようになっている；
チャックアセンブリ。
【請求項２】
前記モード選択機構が、さらに前記チャックアセンブリの前方部分を包囲している回転可能な前方スリーブを画成していて、前記前方スリーブの回転が前記ナットに対する前記インパクトリングの位置を変更するようになっている、請求項１に記載のチャックアセンブリ。
【請求項３】
さらに、前記チャックアセンブリの後方位置を包囲する後方スリーブであって、前記インパクトリングが中に配置されている後方スリーブと；前記インパクトリングを付勢して前記前方スリーブに係合させるようになっているばねと；を備えている、請求項１に記載のチャックアセンブリ。
【請求項４】
前記モード選択機構は、インパクトリングがナットに係合しているチャック締め付け位置とチャックゆるめ位置とを提供している、請求項１に記載のチャックアセンブリ。
【請求項５】
前記モード選択機構は、インパクトリングが前記ナットから係合解除されているドリル位置を提供している、請求項１に記載のチャックアセンブリ。
【請求項６】
さらに駆動可能に前記スピンドルに連結されたモータを備えていて、前記モード選択機構が前記モータの回転方向を調節するために操作可能な切換えスイッチと相互結合している、請求項４に記載のチャックアセンブリ。
【請求項７】
前記モード選択機構は、前記モード選択機構が締め付け位置にある場合、モータを正転させるべく前記切換えスイッチを作動し、前記モード選択機構がゆるめ位置にある場合、モータを逆転させるべく前記切換えスイッチを作動させる、請求項６に記載のチャックアセンブリ。
【請求項８】
さらに、トランスミッションを介して前記スピンドルに駆動可能に連結されたモータを備えていて、前記モード選択機構は、チャックゆるめモードの場合高速回転を保証するべくトランスミッションに作用している、請求項１に記載のチャックアセンブリ。
【請求項９】
電動ドリルに組み込まれている、請求項１に記載のチャックアセンブリ。
【請求項１０】
円筒状のボデーと、複数のジョー部材と、ナットと、回転式前方スリーブと、後方スリーブと、インパクトリングと、ばねとを具備している、回転可能なスピンドル用のチャックアセンブリであって：
前記円筒状ボデーが前方区画、カラー及び後方区画を有しており、前記前方区画は前方区画を貫通する中心穴を有していて、前記カラーは角度をもたせて配置された複数のガイドチャンネルを有しており、前記後方区画は前記スピンドルに取り付け可能になっていて；
前記複数のジョー部材は前記ガイドチャンネルの中にスライド可能に配置されていて、ジョー部材各々はその外側に形成されたねじ山付き表面を有しており；
前記ナットは前記ボデーの前記カラー周囲に配置されていて、前記複数のジョー部材の前記ねじ山付き表面と螺合的に係合するようになっており；
前記回転式前方スリーブが前記チャックアセンブリの前方部分を包囲していて；
前記後方スリーブが前記チャックアセンブリの後方部分を包囲しており；
前記インパクトリングは前記後方スリーブの中に配置されていて、そして前記複数のジョー部材を調節するために前記ナットと選択的に係合可能になっており；
前記ばねは前記インパクトリングを付勢して前記回転式前方スリーブに係合するようになっていて、前記回転式前方スリーブは少なくとも三つの位置で回転可能であり、各々の位置は、他の二つの位置では行なえない操作を実行できるようになっている；
チャックアセンブリ。
【請求項１１】
前記回転式スリーブの回転が、前記ナットに対する前記インパクトリングの軸方向位置を変化させるようになっている、請求項１０に記載のチャックアセンブリ。
【請求項１２】
前記インパクトリングは、前記後方スリーブの中において軸方向にスライド可能であるが回転方向には固定されている、請求項１０に記載のチャックアセンブリ。
【請求項１３】
前記インパクトリングが複数の突出部材を含んでいて、前記突出部材は前記インパクトリングの周囲に沿って画成されており、そして前記回転式スリーブの底面に形成された複数の凹部に係合するべく形成されており、前記複数の凹部が二組の凹部を画成しており、前記二組の凹部は異なる深さとなっていて、従って前記インパクトリング用の少なくとも二つの軸方向位置を画成している、請求項１０に記載のチャックアセンブリ。
【請求項１４】
さらに、前記ナットの底面から突出している複数の歯と、前記ナットの前記歯に係合するための複数のインパクト表面とを備えている、請求項１３に記載のチャックアセンブリ。
【請求項１５】
前記回転式前方スリーブが、チャック締め付け位置及びチャックゆるめ位置とに回転可能であって、前記インパクトリングは前記ナットに係合している、請求項１０に記載のチャックアセンブリ。
【請求項１６】
前記回転式前方スリーブがドリル位置に回転可能であって、前記インパクトリングは前記ナットから係合解除されている、請求項１０に記載のチャックアセンブリ。
【発明の詳細な説明】
【技術分野】
【０００１】
本発明はスピンドルに使用するためのチャック、特に使用者が選択可能な少なくとも三つの操作モード有している自動式チャックに関する。
【背景技術】
【０００２】
最近、自動式チャックは市場に導入されてきた。そのようなチャックは使用者が選択可能な二つの操作モードである、チャックモードとドリルモードとだけに利用されている。チャックモードにおいて、ドリルモータを駆動するとモータの回転方向に応じてチャックのジョーを締め付け又はゆるめるようになっていて、従ってジョーの間に装着されているドリルビットを締め付け又はゆるめるようになっている。ドリルモードにおいて、チャックのジョーは締め付けられたままで、固定されたドリルはモータの正転方向に回転する。
【０００３】
可変速度モータを有しているドリルに関連して、チャックのジョーは高速で締め付けられ、チャック内のビットは固く締め付けられている。しかしながら、使用者はチャックを低速でゆるめようとするかも知れない。この場合、チャックはゆるめることができないかも知れない。
【発明の開示】
【発明が解決しようとする課題】
【０００４】
従って、使用者が選択可能な少なくとも三つの操作モードを有していて、従ってチャックの締め付け又はゆるめる際に別の操作を実行できる、改善されたチャックアセンブリを提供することが望ましい。
【課題を解決するための手段】
【０００５】
本発明における一つの実施形態において、自動式チャックは、使用者が選択可能な少なくとも三つの操作モードを有していて、従ってチャックの締め付け又はゆるめる際に別の操作を実行できるようになっている。例示の実施形態において、使用者が選択可能な種々の操作モードは、ドリルのモータの回転方向切換スイッチを使用して行なうことができる。
【０００６】
本発明の別の実施形態において、ユーザにチャックのジョーの位置をフィードバックするために、チャックのハウジングに形成されたのぞき窓が形成されていてもよい。
【０００７】
以下の詳細な説明により、本発明の適用範囲を理解できるであろう。詳細な説明及び特別な例は好適な実施形態を説明しているけれども、単に説明用のものであって、本発明の範囲を限定するものではない。
【０００８】
図１は電動ドリル１０との関連で自動式ドリルチャック１２を図示している。ドリル１０は、ハンドル部分１６とボデー部分１８とを含んでいるハウジング１４を有している。バッテリパック２０はハンドル部分１６に取り外し可能に取り付けられている。トリガ２２は、ハンドル１６に備えられていて、バッテリパック２０からモータ２４へ流れる電流を選択するためのものであり、そのモータ２４はハウジング１４のボデー部分１８内部に備えられている。多速度変速機（multi-speed transmission）は、駆動可能にモータ２４に接続されている。多速度変速機はシフトレバー３０を含んでいるシフト機構２８を備えていて、そのシフトレバー３０は多速度変速機の変速比を変更するために、使用者により移動可能である。多速度変速機２６はドリルチャック１２に接続された駆動スピンドル３２を含んでいる。トルク調節クラッチ及び／又はハンマドリル機構のような他の装置は、本発明の範囲と精神とを逸脱することなくドリル１０と組合わせて使用することができることを理解すべきである。モータの回転方向切換スイッチ２３は、ハンドル１６に取り付けられていて、モータの回転方向を選択的に調節するようになっている。モータは自動式チャック１２に接続されているスピンドルに駆動可能に連絡されている。自動式チャック１２は回転可能なスピンドルに使用するべく形成されていて、従って他の型式の電動工具にも使用することができる。
【０００９】
本発明における別の実施形態において、自動式チャック１２は、使用者が選択可能な少なくとも三つの操作モードを含んでいて、チャックを締め付け又はゆるめる際に他の操作もできるようになっている。例示の実施形態において、種々の操作モードはチャックの外側スリーブを回転することにより選択することができ、以下に説明する。図２に図示するように、種々の操作モードは外側スリーブで定められるようになっている。
【００１０】
図３−６を用いて例示の自動式チャック１２を説明する。以下の説明は特定のチャック形状を参考にして説明するけれども、本発明は他のチャック形状にも適用可能である。
【００１１】
自動式ドリルチャック１２は、前方区画４２と後方区画４４とを有している中心ボデー４０を含んでいる。前方区画４２は、ドリルビットを受容する貫通穴４６を含んでいる。後方区画４４が、貫通穴４６におけるねじ山４８を含んでいて、そのねじ山４８はドリルの駆動スピンドルと係合するようになっている。中心ボデー４０は複数のガイドチャンネル５２を備えたカラー５０を含んでいて、そのガイドチャンネル５２は角度をもたせて貫通穴４６と交差している。複数のジョー部材５４がガイドチャンネル５２に受容されていて、ジョー部材５４の各々は外表面にねじ山付き表面５６と、前方の内表面に把持面５８とを備えている。ねじ山付きナット６０が中心ボデー４０を囲んでいて、そして傾斜したねじ山付き表面６２を含んでおり、そのねじ山付き表面６２はジョー部材５４のねじ山付き表面５６と係合している。ねじ山付きナット６０は、その前方表面に形成された複数の凹部６４と、その後方表面に形成された多数の歯６６とを含んでいる。ナットカバー６８が中心ボデー４０の前方区画４２を囲んで軸方向に取り付けられていて、そしてねじ山付きナット６０と接触している。
【００１２】
インパクトリング（impact ring）７０はリング形状であって、複数の歯のようなインパクト部材７３をエンボス加工されていて、そのインパクト部材７３はその外周囲を囲んでいる傾斜した側面を有しており、ねじ山付きナット６０における歯６６と係合するようになっている。コイルばね７４がインパクトリング７０と係合していて、インパクトリング７０の後方面を支持している。前方ハウジング（チャックスリーブ）７６及び後方ハウジング７８は自動式ドリルチャック１２を包囲している。後方ハウジング７８は、中心ボデーの前方区画４２を挿入するための前方及び後方開口部を有している。ロッキングリング８０は前方ハウジング７６の内壁面から半径方向内向きに延伸している（図４参照）。前方ハウジング７６は、複数の深いロッキング凹部８２と浅いロッキング凹部８４とを交互に含んでいる。摩耗リング８６が対応する深い凹部及び浅い凹部８８，９０を備えている、そして前方ハウジング７６の前方に接触して配置されている。摩耗リング８６の深い凹部及び浅い凹部８８，９０はインパクトリング７０における歯状部材７２を受容する。後方ハウジング７８は前方ハウジングの後方端部区画（チャックスリーブ）７６をおおっていて、そして前方ハウジング７６の外表面に備えられたウェッジ状止め具９２と係合し、前方ハウジング７６に対する後方ハウジング７８の軸方向位置を維持するようになっている。インパクトリング７０の歯状部材７２は、後方ハウジング７８の内表面に備えられた軸方向に延伸している凹状チャンネル９４にスライド可能に係合している。
【００１３】
中心ボデー４０の後方区画４４が後方ハウジング７８の後方開口部を通して受容されていて、そのロッキングリング９６は中心ボデー４０の後方区画４４に備えられた溝９８と係合し、中心ボデー４０に対する後方ハウジング７８の軸方向位置を固定するようになっている。
【００１４】
ノーズスリーブ１００が後方位置決め部分１０２及び前方ノーズ部分１０４を備えていて、位置決め部分１０２は円筒状の中心貫通穴と複数の位置決めリッジ１０６とを有しており、その位置決めリッジ１０６は内壁面から隆起していて中心ボデー４０の前方区画４２と係合するようになっている。停止フランジ１０８が外壁面を囲んで備えられていて、ノーズスリーブ１００が中心ボデー４０の前方区画４２に挿入される場合、前方ハウジング７６におけるロッキングリング８０に対する支持面を形成している。
【００１５】
ベアリングリング１１０及びワッシャ１１２が前方ハウジング７６を回転可能に支持するべく備えられている。リング形状の連結部材１１４がコイルばね７４と後方ハウジング７８との間に配置されている。連結部材１１４が複数の連結アーム１１６を含んでいて、その連結アーム１１６は扇状スロット１１８を貫通しドリルハウジングにおけるボルト１２０と連結していて（図４参照）、そしてばね７４からの力を受けており、さらにドリルハウジング１４の前方端部と接触するようになっている。接続アームはドリルの前方に接続されていてもよいことが理解されるであろう。このようにして、接続部材１１４は、チャックの後方ハウジングがドリルハウジングに対して回転することを防止している。
【００１６】
チャックにより把持されたドリルビット１５０の説明により例示のドリルチャック１２の操作を説明する。図４に図示するように、ドリルビット１５０は中心ボデー４０の前方区画４２に備えられた中心穴４６に挿入され、ジョー部材５４各々は引き込まれ、ドリルビット１５０を挿入するすき間が可能となる。駆動スピンドル３２が作動方向に回転する場合、中心ボデー４０とジョー部材５４とが共に回転する。ナット部材６０の傾斜したねじ山付き表面６２とジョー部材５４のねじ山付き表面との作用により、ジョー部材５４は瞬時に上向きに傾斜し、ジョー部材５４の把持面５８を回転軸へ向けて移動させドリルビット１５０に締め付けるようになっている。ナット部材６０は、後方ハウジング７８により回転可能に固定されているインパクトリング７０と係合している場合回転しない。
【００１７】
ジョー部材５４はドリルビット１５０があるためにさらに前方に移動することができなくなると、ねじ山付き表面５６とナット部材の傾斜したねじ山付き表面６２が螺合係合的に接続し、ナット部材６０が中心ボデー４０と共に回転するようになる。接続部材１１４がハウジング１４におけるボルト１２０に係合され、従ってスピンドル３２と共に回転しないので、前方ハウジング７６、後方ハウジング７８、ばね７４及びインパクトリング７０は一つのユニットとして一体に接続されている。
【００１８】
図５は“ドリルモード”における自動式チャック１２の部分断面図である。使用者は、前方ハウジング（チャックスリーブ）７６に回転力を作用することにより回転位置を調節し、そして耐摩耗リング８６の浅い凹部９０と歯状部材７２との間の係合を調節することができる。この場合、インパクトリング７０は耐摩耗リング８６により支持され、そして下向きに移動し、インパクト歯７３がナット部材６０の歯６６から係合解除されるようになっていて、ナット部材６０が、中心ボデー４０及びジョー部材５４と共に回転する場合、ナット部材６０はいずれとも接触しないようになっている。
【００１９】
図６は“チャック”モードにおける自動式チャックの部分断面図である。チャックスリーブ７６が回転され、“ドリル”モードから“チャック締め付けモード”又はチャックゆるめモードのどちらかへ位置決めされる。チャックスリーブが選択可能な三つの位置に回転することを制限するために端部停止具８７が耐摩耗リング８６に画成されている。チャックスリーブが回転されると、後方ハウジング７８の内表面に画成された突出部材１１７が端部停止具８７の一つと係合する。チャック締め付けモード又はチャックゆるめモードのどちらかに作動されると、端部停止具８７は、インパクトリングの歯状部材が耐摩耗リング８６の深い凹部に係合するように配置される。これらの位置のどちらかにおいて、自動式チャックは“チャックモード”と見なされ、ドリルビットを締め付け及び／又はゆるめることができるようになっている。以下に説明する。
【００２０】
ドリルビット１５０がドリルの正転方向に回転し、大きな抵抗を受ける場合、又はドリルビット１５０周囲の把持力が十分でない場合、チャックスリーブ７６は操作又は休止時に回転し従って耐摩耗リング８６が回転し、インパクトリング７０の歯７２が耐摩耗リングにおける深い凹部８８と係合するようになっている。この場合、インパクトリング７０はばね７４の収縮作用により上向きに移動し、そして歯状部材７２が深い凹部８８と係合する場合、インパクト歯（impact teeth）７３はナット部材６０の歯６６に同時的にかみ合い、回転可能に位置決めされたインパクトリング７０は後方ハウジング７８に備えられた凹部チャンネル９４の中を上下移動し、ナット部材６０におけるねじ山付き表面６２がジョー部材５４におけるねじ山付き表面５６と密に係合することを可能にし、ねじ山間のすき間を排除し、ドリルビット１５０におけるジョー５４の把持力の安定性を向上させるようになっている。
【００２１】
インパクトリングは、ばね７４の付勢力に対抗して軸方向に往復移動できるので、トルクが増大するとインパクト歯７３は歯６６の傾斜面に重なるようになっている。ナット部材６０が完全に締め付けられると、インパクト歯７３が次の歯６０に重なるので、インパクトリング７０は軸方向の往復移動を続行する。モータの回転方向を逆転させ、従って、ナット部材はナット部材６０の回転に抵抗となっていたインパクトリング７０のインパクト歯７３により逆転方向に駆動されるようになり、従ってジョー５４を引き込まれるので、ドリルビットを取り外すことができるようになている。すなわち、インパクトリング７０の回転式固定式インパクト歯７３を用いてナット部材６０の歯６６の回転衝撃が、スピンドル３２の回転方向に応じてナット７０を締め付け又はゆるめるようになっている。
【００２２】
選択可能な操作モードにおけるチャックスリーブの作動は、選択された操作モードに関連する操作を可能にし及び／又は実行する。例えば、前方ハウジング７６及び耐摩耗リング８６は、三組の凹部を使用していて、一組の凹部が選択可能な位置各々に対応するようになっている。本例において、一組の中間深さの凹部は、チャック締め付けモードに使用され、別の一組の深い凹部はチャックゆるめモードに使用されている。その結果、インパクト表面間の係合力は、チャック締め付けモードの場合と比較してチャックゆるめモードの場合の方が大きいものとなっている。ドリルモードにおいて使用される一組の凹部は相対的に浅いものとなっている。
【００２３】
図７において、使用者が選択可能なチャックの種々の操作モードはドリルのモータの回転方向切換スイッチ２３を作動することにより行なわれる。チャックアセンブリの外部スリーブ７８はリンク機構２００をモータの回転方向切換スイッチ２３と相互接続されている。例示の実施形態において、リングギヤ２０２がチャックスリーブ７８の内表面に沿って形成されている。リンク機構２００には、作動ロッド２０６の端部に接続されたピニョン２０４が画成されていて、ピニョン２０４はリングギヤ２０２と係合しており、作動ロッド２０６はモータの回転方向切換スイッチ２３に形成されたスロット２０８を貫通している。
【００２４】
所望する操作モードを選択するために、チャックスリーブ７８が回転されると、モータの回転方向切換スイッチ２３が移動される。チャックスリーブ７８が締め付けモードに回転されると、モータの回転方向切換スイッチ２３は図８Ａに示めす正転方向位置になる。チャックスリーブ７８がゆるめモードに回転されると、モータの回転方向切換スイッチ２３は図８Ｂに示めす逆転方向位置になる。ドリルモードにおいて、モータの回転方向切換スイッチ２３は図８Ｃに示めす中間位置になっていて、使用者はモータの回転方向切換スイッチを正転方向位置又は逆転方向位置に作動することができる。従来型の自動式チャックと比較して、使用者はモータ回転方向そのものを選択する必要はなく、従ってチャック操作のために多くの操作の必要はない。
【００２５】
使用者が選択可能な種々の操作モードは別の方法で実行することもできる。例えば、チャックモード選択機構は、ドリルのトランスミッションと相互作用していてもよい。例示の実施形態において、リンク機構はチャックモード選択機構を使用者が操作するトランスミッション用シフトレバに相互接続している。チャックがゆるめモードに位置決めされると、ドリルのトランスミッションは高速モードにシフトされる。チャックが締め付けモードに位置決めされると、ドリルのトランスミッションはチャックをゆるめる場合に比較してより低速モードになっていて、チャックを締め付ける場合よりもより高速でゆるめることができる。さらなる詳細は、本発明と同一出願人により同時出願された米国特許出願公開Ｎｏ． 明細書、発明名称“ドリルチャックアクチュエータ”及び２００５年２月１８日に出願された優先権主張を伴なう米国仮出願番号６０／６５４，８４９（U.S.Provisional Patent No.60/654,849）に開示されている。これらの開示内容を参考としてここに包含するものである。
【００２６】
他の例において、異なる荷重がばねに作用され、異なるチャック操作モードにおいてインパクトリングをナットに付勢して係合させるようになっている。例えば、チャックゆるめモードの場合、チャック締め付けモードの場合に比較してより大きな荷重がばねに作用されている。ばね荷重を変更する種々の機構が、本発明と同一出願人により同時出願された米国特許出願公開Ｎｏ． 明細書、発明名称“自動式チャック用すべり止め反転装置”及び２００５年２月１８日に出願された優先権主張を伴なう米国仮出願番号６０／６５４，８５２（U.S.Provisional Patent No.60/654,856）に開示されている。これらの開示内容を参考としてここに包含するものである。
【００２７】
さらなる例として、チャックモード選択機構が異なるインパクトリングを係合させるようになっている。チャックゆるめモードの際にインパクトリングは係合されていて、その場合のインパクト表面はチャック締め付けモードの場合に比較してより小さなものとなっていて、従ってインパクト間のより大きな回転移動と速度とを可能にしている。さらなる詳細は、本発明と同一出願人により同時出願された米国特許出願公開Ｎｏ． 明細書、発明名称“ドリルチャックアクチュエータ”及び２００５年２月２４日に出願された優先権主張を伴なう米国仮出願番号６０／６５５，７６７（U.S.Provisional Patent No.60/655,767）に開示されている。これらの開示内容を参考としてここに包含するものである。これらの二つ以上の例示の操作は組合わせて使用されてもよいことが容易にできるであろう。また他のタイプの操作は本発明の範囲に含まれるものである。
【００２８】
図９に図示するように、チャックジョーの位置を使用者にフィードバックするために、のぞき窓（sightline window）２２０がチャックアセンブリ１２′を収容しているスリーブに形成されていてもよい。例示の実施形態において、のぞき窓２２０は、好ましくは使用者がチャックのジョーの後方端部の運動の全範囲を見ることができるようなサイズになっている。しかしながら、窓はチャックのジョーの前方端部を見るために位置決めされていてもよい。
【００２９】
より良く見えるように、指示器２２２がチャックのジョー５４′の後方端部に整列されている。本例示の実施形態において、図１０に図示するように、指示器２２２はばね２２４により少なくとも一つのジョーの後方端部に対して付勢されている。チャックのジョー５４′が開閉される場合、指示器２２２はチャックアセンブリの後方スリーブの中で軸方向に移動し、従って、ジョーの位置が指示される。さらに、窓２２０に隣接している図形２２６がジョーの位置をジョーにより形成されているビットの受容開口部直径に関連させている。チャック位置を表示するために他の方法が使用されてもよい。
【００３０】
本発明の説明は単に例示のものであって、本発明の原理を逸脱することのない変更は本発明の範囲に含まれることを意図しているものである。そのような変更は、本発明の精神及び範囲を逸脱するものではないものと理解されるべきである。
【図面の簡単な説明】
【００３１】
【図１】図１は、本発明の原理にもとづく自動式チャックを組み込んだドリルの斜視図である。
【図２】図２は、本発明による使用者が選択可能な三つの操作モードを備えている例示の自動式チャックの平面図である。
【図３】図３は、本発明の原理にもとづく例示の自動式ドリルチャックの分解斜視図である。
【図４】図４は、本発明の原理にもとづく自動式チャックの部分断面図である。
【図５】図５は、本発明の原理にもとづく自動式チャックの部分断面図であって、ドリルモードのものである。
【図６】図６は、本発明の原理にもとづく自動式チャックの部分断面図であって、チャックモードのものである。
【図７】図７は、本発明の原理にもとづく自動式チャックの部分断面図であって、アクチュエータがドリルのモータの回転方向切換スイッチと相互作用している。
【図８Ａ】図８Ａは、本発明の原理にもとずく所定位置におけるモータの回転方向切換スイッチの説明図である。
【図８Ｂ】図８Ｂは、本発明の原理にもとずく所定位置におけるモータの回転方向切換スイッチの説明図である。
【図８Ｃ】図８Ｃは、本発明の原理にもとずく所定位置におけるモータの回転方向切換スイッチの説明図である。
【図９】図９は、本発明にもとづくアクチュエータの平面図であって、チャックの位置を見るための窓が図示されている。
【図１０】図１０は、本発明の原理にもとづくチャック位置指示器を有しているアクチュエータの部分断面図である。
【図１】
2008529822.tif 000002
【図２】
2008529822.tif 000003
【図３】
2008529822.tif 000004
【図４】
2008529822.tif 000005
【図５】
2008529822.tif 000006
【図６】
2008529822.tif 000007
【図７】
2008529822.tif 000008
【図８Ａ】
2008529822.tif 000009
【図８Ｂ】
2008529822.tif 000010
【図８Ｃ】
2008529822.tif 000011
【図９】
2008529822.tif 000012
【図１０】
2008529822.tif 000013
【国際調査報告】
2008529822.tif 000014